(57)【要約】  端末ａのユーザＡが画像データを公開設定すると、画像データに関連する公開データ関連情報がサーバ２００に送信される。その後、端末ａの通信エリアＸ内に端末ｂが入ると、端末ａからｂに画像データとそのＩＤが送信される。端末ｂからは、画像データのＩＤと受信端末関連情報がサーバ２００に送信され、この受信端末関連情報が公開データ関連情報と対応付けて記録される。以降、端末１００同士の間で画像データの転送が行われるたびに、受信端末関連情報がサーバ２００に送信されて公開データ関連情報に対応付けて記録される。
2012132748.tif 000002
【特許請求の範囲】
【請求項１】
サーバと、移動体通信網を介して前記サーバと通信するネットワーク通信部を有する複数の携帯端末とを有し、前記携帯端末を利用してコンテンツデータを不特定多数の人に公開するコンテンツ公開システムであって、
前記携帯端末は、
他の前記携帯端末（以下、他端末という）との間で前記移動体通信網を介さずに直接通信を行う端末間通信部と、
自端末の使用者によって公開設定がなされたコンテンツデータに関連する情報であって前記コンテンツデータのＩＤを含むコンテンツ情報を前記サーバに送信させるコンテンツ情報送信制御部と、
前記端末間通信部の通信エリアに他端末が入った場合に、前記公開設定がなされたコンテンツデータ及び当該コンテンツデータのＩＤを、前記端末間通信部を介して前記通信エリア内の前記他端末に転送させる第一のコンテンツ転送制御部と、
他端末によって公開設定がなされたコンテンツデータ及び当該コンテンツデータのＩＤを他端末から前記端末間通信部を介して受信した後、当該受信した情報に対する予め設定された条件が満たされた場合に、自端末に関連する端末情報及び当該受信したコンテンツデータのＩＤを前記サーバに送信させる端末情報送信制御部と、
他端末によって公開設定がなされたコンテンツデータを受信した状態で前記端末間通信部の通信エリアに他端末が入った場合に、当該コンテンツデータ及び当該コンテンツデータのＩＤを、前記端末間通信部を介して前記通信エリア内の前記他端末に転送させる第二のコンテンツ転送制御部と、を備え、
前記サーバは、
前記携帯端末から受信した前記コンテンツ情報をデータベースに登録するコンテンツ情報登録部と、
前記携帯端末から受信した前記端末情報及びコンテンツデータのＩＤのうちの前記端末情報を、前記データベースに登録されている当該受信したコンテンツデータのＩＤと同じＩＤを含むコンテンツ情報に対応付けて前記データベースに記録する端末情報記録部と、
前記携帯端末からの要求に応じて、要求されたコンテンツデータに対応付けられて前記データベースに記録されている情報又は当該情報を加工した情報を前記携帯端末に返信する情報返信部と、を備えるコンテンツ公開システム。
【請求項２】
請求項１記載のコンテンツ公開システムであって、
前記コンテンツデータは、静止画データ、動画データ、音声付動画データのいずれかであるコンテンツ公開システム。
【請求項３】
請求項１又は２記載のコンテンツ公開システムであって、
前記携帯端末は、自端末の位置を検出する位置検出部から前記自端末の位置情報を取得する位置情報取得部を備え、
前記携帯端末の前記コンテンツ情報送信制御部は、前記公開設定されたコンテンツデータに関連する前記携帯端末の位置情報を前記コンテンツ情報に含めて前記サーバに送信させるものであり、
前記携帯端末の前記端末情報送信制御部は、前記受信したコンテンツデータに関連する前記携帯端末の位置情報を前記端末情報に含めて前記サーバに送信させるものであるコンテンツ公開システム。
【請求項４】
請求項３記載のコンテンツ公開システムであって、
前記サーバの情報返信部は、前記位置情報の閲覧要求に対し、要求されたコンテンツデータに対応付けられた端末情報に含まれる前記位置情報を時系列で並べて地図上にマッピングした情報を前記携帯端末に返信するコンテンツ公開システム。
【請求項５】
請求項３記載のコンテンツ公開システムであって、
前記サーバの情報返信部は、前記位置情報の閲覧要求に対し、要求されたコンテンツデータに対応付けられた端末情報に含まれる前記位置情報を前記携帯端末に返信し、
前記携帯端末は、前記サーバから返信されてきた前記位置情報を時系列で並べて地図上にマッピングした画面を表示部に表示させる地図表示制御部を備えるコンテンツ公開システム。
【請求項６】
請求項１〜５のいずれか１項記載のコンテンツ公開システムであって、
前記携帯端末は、他端末によって公開設定がなされたコンテンツデータに対して入力されたコメントのデータを前記サーバに送信させるコメント送信制御部を備え、
前記サーバは、前記携帯端末から受信したコメントのデータを、当該コメントがなされた前記コンテンツデータのＩＤと対応付けて前記データベースに記録するコメント記録制御部を備え、
前記サーバの情報返信部は、前記コメントのデータの閲覧要求に対し、要求されたコンテンツデータに対応付けられた前記コメントのデータの一覧を前記携帯端末に返信するコンテンツ公開システム。
【請求項７】
請求項６記載のコンテンツ公開システムであって、
前記携帯端末は、前記コメントのデータが前記サーバに送信されたコンテンツデータに対しては、当該コンテンツデータのコピーを生成して記録媒体に記録するコピーデータ記録制御部を備え、
前記コピーデータは、他端末に対して転送できないことを示す情報が付加されているコンテンツ公開システム。
【請求項８】
請求項６又は７記載のコンテンツ公開システムであって、
前記サーバの情報返信部は、前記コメントのデータを送信してきた携帯端末に対してのみ情報の返信を行うコンテンツ公開システム。
【請求項９】
請求項１〜８のいずれか１項記載のコンテンツ公開システムであって、
前記携帯端末の前記第一のコンテンツ転送制御部は、前記コンテンツデータのヘッダに前記コンテンツ情報も追加して前記他端末に転送させ、
前記携帯端末の前記第二のコンテンツ転送制御部は、前記コンテンツデータのヘッダに前記端末情報も追加して前記他端末に転送させるコンテンツ公開システム。
【請求項１０】
請求項１〜９のいずれか１項記載のコンテンツ公開システムであって、
前記サーバは、前記コンテンツ情報に対応付けて記録される前記端末情報が特定の条件を満たした場合に、当該コンテンツ情報の送信元の携帯端末に対して前記特定の条件を満たしたことを通知するコンテンツ公開システム。
【請求項１１】
請求項１〜１０のいずれか１項記載のコンテンツ公開システムであって、
前記携帯端末は、自端末のユーザ操作により、他端末によって公開設定がなされたコンテンツデータが公開するに不適当なものであると判断した場合に、不適当報告情報を前記サーバに送信させる不適当報告情報送信制御部を備え、
前記サーバは、前記不適当報告情報の受信数が閾値を越えるコンテンツデータがあった場合に、当該コンテンツデータを受信している携帯端末に当該コンテンツデータの削除命令情報を送信する削除命令情報送信部を備え、
前記携帯端末は、前記削除命令情報にしたがって、自端末内にある前記コンテンツデータを削除するコンテンツデータ削除部を備えるコンテンツ公開システム。
【請求項１２】
請求項１〜１１のいずれか１項記載のコンテンツ公開システムにおける前記携帯端末。
【請求項１３】
請求項１〜１１のいずれか１項記載のコンテンツ公開システムにおける前記サーバ。
【請求項１４】
コンピュータを、請求項１〜１１のいずれか１項記載のコンテンツ公開システムにおける前記携帯端末の前記端末間通信部及び前記ネットワーク通信部以外の各部として機能させるための端末プログラム。
【請求項１５】
コンピュータを、請求項１〜１１のいずれか１項記載のコンテンツ公開システムにおける前記サーバの各部として機能させるためのサーバプログラム。
【発明の詳細な説明】
【技術分野】
【０００１】
本発明は、コンテンツ公開システム、これに用いる携帯端末、サーバ、端末プログラム、サーバプログラムに関する。
【背景技術】
【０００２】
移動体通信網によって通信を行う携帯端末にも、移動体通信網を使わずに携帯端末間で直接通信を行うためのアドホック通信機能を持ったものが存在する。このような携帯端末を利用し、店舗に設置した広告配信端末から、当該広告配信端末の通信エリア内にある携帯端末に広告情報を配信し、その広告情報を、携帯端末間のアドホック通信によりリレー形式で不特定多数の携帯端末に転送させることで、広告効果の向上を図るシステムが提案されている（特許文献１参照）。【０００３】
また、アドホック通信に関連する技術としては特許文献２〜４に記載のものも知られている。
【先行技術文献】
【特許文献】
【０００４】
【特許文献１】日本国特開２００２−２９８００６号公報
【特許文献２】日本国特開２００４−２１４８４６号公報
【特許文献３】日本国特開２００８−２４４８１３号公報
【特許文献４】日本国特開２００５−２３６５９８号公報
【発明の概要】
【発明が解決しようとする課題】
【０００５】
特許文献１〜４のいずれに記載のシステムも、携帯端末間で情報を転送していくことで、不特定多数の人間に情報を配信することができるものである。しかし、これらのシステムにおいて、情報の提供者は、情報がどのようにして転送されていったのかを知ることはできない。【０００６】
本発明は、上記事情に鑑みてなされたものであり、不特定多数の携帯端末にコンテンツを簡単に公開することができ、かつ、コンテンツの公開者に対して有益な情報を与えることが可能なサービスを提供するためのコンテンツ公開システムと、それに用いる携帯端末、サーバ、端末プログラム、サーバプログラムを提供することを目的とする。
【課題を解決するための手段】
【０００７】
本発明のコンテンツ公開システムは、サーバと、移動体通信網を介して前記サーバと通信するネットワーク通信部を有する複数の携帯端末とを有し、前記携帯端末を利用してコンテンツデータを不特定多数の人に公開するコンテンツ公開システムであって、前記携帯端末は、他の前記携帯端末（以下、他端末という）との間で前記移動体通信網を介さずに直接通信を行う端末間通信部と、自端末の使用者によって公開設定がなされたコンテンツデータに関連する情報であって前記コンテンツデータのＩＤを含むコンテンツ情報を前記サーバに送信させるコンテンツ情報送信制御部と、前記端末間通信部の通信エリアに他端末が入った場合に、前記公開設定がなされたコンテンツデータ及び当該コンテンツデータのＩＤを、前記端末間通信部を介して前記通信エリア内の前記他端末に転送させる第一のコンテンツ転送制御部と、他端末によって公開設定がなされたコンテンツデータ及び当該コンテンツデータのＩＤを他端末から前記端末間通信部を介して受信した後、当該受信した情報に対する予め設定された条件が満たされた場合に、自端末に関連する端末情報及び当該受信したコンテンツデータのＩＤを前記サーバに送信させる端末情報送信制御部と、他端末によって公開設定がなされたコンテンツデータを受信した状態で前記端末間通信部の通信エリアに他端末が入った場合に、当該コンテンツデータ及び当該コンテンツデータのＩＤを、前記端末間通信部を介して前記通信エリア内の前記他端末に転送させる第二のコンテンツ転送制御部と、を備え、前記サーバは、前記携帯端末から受信した前記コンテンツ情報をデータベースに登録するコンテンツ情報登録部と、前記携帯端末から受信した前記端末情報及びコンテンツデータのＩＤのうちの前記端末情報を、前記データベースに登録されている当該受信したコンテンツデータのＩＤと同じＩＤを含むコンテンツ情報に対応付けて前記データベースに記録する端末情報記録部と、前記携帯端末からの要求に応じて、要求されたコンテンツデータに対応付けられて前記データベースに記録されている情報又は当該情報を加工した情報を前記携帯端末に返信する情報返信部と、を備えるものである。【０００８】
本発明の携帯端末は、前記コンテンツ公開システムにおける前記携帯端末である。【０００９】
本発明のサーバは、前記コンテンツ公開システムにおける前記サーバである。【００１０】
本発明の端末プログラムは、コンピュータを、前記コンテンツ公開システムにおける前記携帯端末の前記端末間通信部及び前記ネットワーク通信部以外の各部として機能させるためのプログラムである。【００１１】
本発明のサーバプログラムは、コンピュータを、前記コンテンツ公開システムにおける前記サーバの各部として機能させるためのプログラムである。
【発明の効果】
【００１２】
本発明によれば、不特定多数の携帯端末にコンテンツを簡単に公開することができ、かつ、コンテンツの公開者に対して有益な情報を与えることが可能なサービスを提供するためのコンテンツ公開システムと、それに用いる携帯端末、サーバ、端末プログラム、サーバプログラムを提供することができる。
【図面の簡単な説明】
【００１３】
【図１】本発明の一実施形態を説明するためのコンテンツ公開システム４００の概略構成を示す図
【図２】図１に示されるコンテンツ公開システム４００における携帯端末１００の内部構成を示す図
【図３】図１に示されるコンテンツ公開システム４００における画像転送ログ管理サーバ２００の内部構成を示す図
【図４】図１に示されるコンテンツ公開システム４００の動作を説明するためのフローチャートを示す図
【図５】図４に示されるフローチャートと対応するコンテンツ公開システム４００の動作を説明するためのイメージ図
【図６】図１に示されるコンテンツ公開システム４００における携帯端末１００の表示部に表示される画面例を示す図
【図７】図１に示されるコンテンツ公開システム４００における携帯端末１００の変形例を示す図
【図８】図７に示される携帯端末を有するコンテンツ公開システム４００における携帯端末１００の表示部に表示される画面例を示す図
【図９】図１に示されるコンテンツ公開システム４００における携帯端末１００の表示部に表示される画面例を示す図
【図１０】図１に示されるコンテンツ公開システム４００における携帯端末１００の表示部に表示される画面例を示す図
【図１１】図１に示されるコンテンツ公開システム４００における携帯端末１００間で送受信されるデータの構造例を示す図
【図１２】図１に示されるコンテンツ公開システム４００における携帯端末１００の表示部に表示される画面例を示す図
【図１３】図１に示されるコンテンツ公開システム４００における携帯端末１００の表示部に表示される画面例を示す図
【発明を実施するための形態】
【００１４】
以下、本発明の実施形態について図面を参照して説明する。
【００１５】
図１は、本発明の一実施形態を説明するためのコンテンツ公開システム４００の概略構成を示す図である。
【００１６】
コンテンツ公開システム４００は、画像転送ログ管理サーバ２００と、移動体通信網３００を介して画像転送ログ管理サーバ２００と通信可能な複数の携帯端末１００とを有する。コンテンツ公開システム４００は、携帯端末１００を利用して静止画データ、動画データ、及び音声付動画データ等のコンテンツデータを不特定多数の人に公開することができるものである。携帯端末１００は、例えばデジタルカメラ、カメラ付の携帯電話機である。
【００１７】
図２は、図１に示されるコンテンツ公開システム４００における携帯端末１００の内部構成を示す図である。
【００１８】
携帯端末１００は、撮像部１と、画像処理部２と、集音部３と、音声処理部４と、記憶部５と、制御部６と、ネットワーク通信部７と、端末間通信部としての近距離無線通信部８と、操作部９と、表示部１０と、音声再生部１１とを備える。
【００１９】
撮像部１は、制御部６によって制御され、光学系と撮像素子とにより被写体を撮像する。
【００２０】
画像処理部２は、撮像部１の撮像素子から出力される撮像画像信号に周知の画像処理を施して撮像画像データを生成する。
【００２１】
集音部３は、マイクによって音を集める。
【００２２】
音声処理部４は、集音部３によって集音された音を処理する。
【００２３】
撮像部１、画像処理部２、集音部３、及び音声処理部４は、一般的なデジタルカメラの撮影機能を実現するためのものであり、これらにより、静止画データ、動画データ、音声付動画データを生成することができる。生成された静止画データ、動画データ、音声付動画データは、制御部６に入力される。
【００２４】
制御部６は、携帯端末１００全体を統括制御するものである。制御部６は、携帯端末１００の動作に必要な各種プログラムが記憶されるＲＯＭと、ＲＯＭに記憶されているプログラムを実行するプロセッサとを含んで構成される。制御部６は、上記静止画データ、動画データ、音声付動画データを、フラッシュメモリ等からなる記憶部５に記憶する。
【００２５】
ネットワーク通信部７は、例えばＩＭＴ２０００に準拠した移動体通信網３００に無線接続して他の携帯端末１００や画像転送ログ管理サーバ２００と通信を行うためのインターフェースである。ネットワーク通信部７としては、例えばＷ−ＣＤＭＡ方式に対応した通信インターフェースが用いられる。
【００２６】
近距離無線通信部８は、移動体通信網３００を利用せずに、他の携帯端末１００と直接、無線により通信を行うためのインターフェースである。近距離無線通信部８としては、例えば、ブルートゥースに対応した通信インターフェースが用いられる。
【００２７】
表示部１０は、液晶表示パネルや有機ＥＬパネル等によって構成される。表示部１０は、制御部６の制御のもと、記憶部５に記憶された静止画データ及び動画データ等の各種情報を表示する。
【００２８】
音声再生部１１は、記憶部５に記憶されている音声付動画データの再生時に、当該音声付動画データに付属している音声を動画の表示と同期させて再生する。
【００２９】
操作部９は、例えばタッチパネルにより構成され、携帯端末１００のユーザのタッチ操作にしたがった信号を制御部６に入力する。
【００３０】
図３は、図１に示されるコンテンツ公開システム４００における画像転送ログ管理サーバ２００の内部構成を示す図である。
【００３１】
画像転送ログ管理サーバ２００は、ネットワーク３００を利用して携帯端末１００と通信を行うためのインターフェースからなる通信部２２と、プログラムを実行するプロセッサを主体に構成される制御部２３と、携帯端末１００から送信されてくる各種情報を記録するためのデータベース２１とを備える。
【００３２】
データベース２１は、画像転送ログ管理サーバ２００の制御部２３がアクセス可能な場所にあればよく、画像転送ログ管理サーバ２００の外部に設けてあってもよい。
【００３３】
以上のように構成されたコンテンツ公開システム４００によって実現されるサービスの流れについて説明する。このサービスを受けるために、携帯端末１００のユーザは、移動体通信網３００や自宅のパソコン等を利用して携帯端末１００内にアプリケーションプログラム（端末プログラム）をインストールしておく。この端末プログラムは制御部６によって実行される。
【００３４】
画像転送ログ管理サーバ２００には、このサービスを提供するためのアプリケーションプログラム（サーバプログラム）がインストールされている。このサーバプログラムは制御部２３によって実行される。以下では、端末プログラムによる携帯端末１００の動作と、サーバプログラムによる画像転送ログ管理サーバ２００の動作について説明する。
【００３５】
図４は、図１に示されるコンテンツ公開システム４００の動作を説明するためのフローチャートを示す図である。図４には、複数の携帯端末１００のうちの１つを携帯端末ａとし、携帯端末ａのユーザが、携帯端末ａによって撮影して得た静止画データを不特定多数の人に公開する場合の動作が示されている。
【００３６】
携帯端末ａのユーザが、携帯端末ａの操作部９を操作して撮影指示を行うと、携帯端末ａの撮像部１により撮像が行われ、この撮像によって得られる撮像画像信号から撮像画像データが生成され、この撮像画像データが記憶部５に記憶される（ステップＳ１）。
【００３７】
次に、携帯端末ａのユーザが、記憶部５に記憶した上記撮像画像データを公開するデータとして設定する操作を操作部９により行う（ステップＳ２）。この操作が行われると、携帯端末ａの制御部６が、公開用撮像画像データとして当該撮像画像データのコピーを生成する（ステップＳ３）。
【００３８】
次に、携帯端末ａの制御部６は、ステップＳ３にて生成した公開用撮像画像データに関連する情報（公開データ関連情報）を、ネットワーク通信部７を制御して画像転送ログ管理サーバ２００に送信させる（ステップＳ４）。
【００３９】
この公開データ関連情報は、公開用撮像画像データを特定するためのＩＤを少なくとも含む。公開データ関連情報には、このＩＤ以外の情報として、公開用撮像画像データのサムネイルデータ、公開用撮像画像データのＩＤのサーバへの発信日時、公開用撮像画像データの作成日時、公開用撮像画像データの作成者の情報、公開用撮像画像データの作成条件等の情報を含めてもよい。
【００４０】
公開用撮像画像データのサムネイルデータ及び作成日時は、公開用撮像画像データのヘッダに付加されている情報をそのまま用いることができる。公開用撮像画像データの作成者の情報と公開用撮像画像データの作成条件の情報は、携帯端末ａのユーザに情報の入力を行わせることで取得することができる。
【００４１】
画像転送ログ管理サーバ２００の制御部２３は、公開データ関連情報を携帯端末ａから受信すると、受信した公開データ関連情報をデータベース２１に登録する（ステップＳ１１）。
【００４２】
携帯端末ａの制御部６は、公開データ関連情報を画像転送ログ管理サーバ２００に送信させた後は、近距離無線通信部８の通信エリア内に他の携帯端末１００が入ったかどうかを判定する（ステップＳ５）。
【００４３】
ステップＳ５の判定の結果、近距離無線通信部８の通信エリア内に他の携帯端末１００（例えば携帯端末ｂ）が入った場合、携帯端末ａの制御部６は、その携帯端末ｂが公開用撮像画像データの受信許可を設定しているかどうかを判定する（ステップＳ６）。
【００４４】
携帯端末１００では、ユーザによって他の携帯端末１００からの公開用撮像画像データの受信可否を設定できるようになっており、受信可否設定情報は制御部６にて管理される。
【００４５】
携帯端末ａの制御部６は、近距離無線通信部８の通信エリア内にある携帯端末ｂの制御部６に対し、受信可否情報の送信を要求し、その要求に応じて返信されてくる受信可否情報に基づいて、当該携帯端末ｂが公開用撮像画像データの受信許可を設定しているかどうかを判定する。
【００４６】
ステップＳ６の判定の結果、携帯端末ｂにおいて公開用撮像画像データの受信許可設定がなされていた場合、携帯端末ａの制御部６は、近距離無線通信部８を制御して、公開用撮像画像データと当該公開用撮像画像データのＩＤを携帯端末ｂに送信させる（ステップＳ７）。
【００４７】
ステップＳ６の判定の結果、携帯端末ｂにおいて公開用撮像画像データの受信許可設定がなされていない場合、携帯端末ａの制御部６は、ステップＳ８にて公開用撮像画像データを送信済みか否か判定し、送信済みであれば処理を終了し、送信済みでなければステップＳ５に処理を戻す。
【００４８】
ステップＳ７にて携帯端末ａから送信された公開用撮像画像データを受信した携帯端末ｂの制御部６は、当該公開用撮像画像データを記憶部５に記憶する。また、携帯端末ｂの制御部６は、自端末に関連する情報（受信端末関連情報）を生成し、ネットワーク通信部７を制御して、当該受信端末関連情報と公開用撮像画像データのＩＤとを画像転送ログ管理サーバ２００に送信させる（ステップＳ２１）。
【００４９】
この受信端末関連情報は、例えば、公開用撮像画像データを受信した日時、携帯端末ｂのユーザＢに関する情報（名前、性別、年齢、プロフィール、顔写真、アバター等）を含む。
【００５０】
ユーザＢに関する情報は、携帯端末ｂにおいて端末プログラムがインストールされたときに初期設定としてユーザにより入力されて記憶部５に記憶される。
【００５１】
携帯端末ｂから受信端末関連情報及び公開用撮像画像データのＩＤを受信した画像転送ログ管理サーバ２００では、制御部２３が、受信した公開用撮像画像データのＩＤを含む公開データ関連情報に、当該受信端末関連情報を対応付けてデータベース２１に記録する（ステップＳ１２）。
【００５２】
携帯端末ｂの制御部６は、受信端末関連情報及び公開用撮像画像データのＩＤを画像転送ログ管理サーバ２００に送信させた後、公開用撮像画像データを閲覧するために設定される所定の猶予期間の経過後に、自端末の近距離無線通信部８の通信エリア内に他の携帯端末１００が入ったかどうかを判定する（ステップＳ２２）。
【００５３】
ステップＳ２２の判定の結果、近距離無線通信部８の通信エリア内に他の携帯端末１００（例えば携帯端末ｃ）が入った場合、携帯端末ｂの制御部６は、その携帯端末ｃが公開用撮像画像データの受信許可を設定しているかどうかを判定する（ステップＳ２３）。
【００５４】
ステップＳ２３の判定の結果、携帯端末ｃにおいて公開用撮像画像データの受信許可設定がなされていた場合、携帯端末ｂの制御部６は、記憶部５に記憶した公開用撮像画像データのコピーを生成して記憶部５に記憶する。その後、携帯端末ｂの制御部６は、近距離無線通信部８を制御して、当該公開用撮像画像データと当該公開用撮像画像データのＩＤを携帯端末ｃに送信させる（ステップＳ２４）。
【００５５】
なお、公開用撮像画像データのコピーには、そのヘッダに、他の携帯端末１００への転送を禁止するためのフラグが追加される。
【００５６】
このフラグにより、携帯端末１００のユーザが、別の携帯端末１００から受信した公開用撮像画像データを自分のデータとして公開用撮像画像データに設定し、この公開用撮像画像データを別の携帯端末１００に送信できてしまうのを防ぐことができる。
【００５７】
ステップＳ２３の判定の結果、携帯端末ｃにおいて公開用撮像画像データの受信許可設定がなされていない場合、携帯端末ｂの制御部６は、ステップＳ２５にて公開用撮像画像データを送信済みか否かを判定し、送信済みであれば処理を終了し、送信済みでなければステップＳ２２に処理を戻す。
【００５８】
携帯端末ｂから公開用撮像画像データ及び公開用撮像画像データのＩＤを受信した携帯端末ｃでは、制御部６が、ネットワーク通信部７を制御して、当該公開用撮像画像データのＩＤと自端末に関連する受信端末関連情報を、画像転送ログ管理サーバ２００に送信させる（ステップＳ３１）。
【００５９】
携帯端末ｃから受信端末関連情報及び公開用撮像画像データのＩＤを受信した画像転送ログ管理サーバ２００では、制御部２３が、受信した公開用撮像画像データのＩＤを含む公開データ関連情報に、当該受信端末関連情報を対応付けてデータベース２１に記録する（ステップＳ１３）。
【００６０】
図５は、図４に示されるフローチャートと対応するコンテンツ公開システム４００の動作を説明するためのイメージ図である。
【００６１】
携帯端末ａのユーザ（発信者）Ａが記憶部５に記憶されている撮像画像データを公開設定すると、公開用撮像画像データに関連する公開データ関連情報が画像転送ログ管理サーバ２００に送信される（図５（ａ））。
【００６２】
その後、携帯端末ａの近距離無線通信部８の通信エリアＸ内に、公開用撮像画像データの受信許可設定をしている携帯端末ｂが入ると、携帯端末ａから携帯端末ｂに公開用撮像画像データとそのＩＤが送信される（図５（ｂ））。
【００６３】
公開用撮像画像データとそのＩＤを受信した携帯端末ｂからは、公開用撮像画像データのＩＤと受信端末関連情報が画像転送ログ管理サーバ２００に送信される（図５（ｃ））。
【００６４】
その後、携帯端末ｂの近距離無線通信部８の通信エリアＹ内に、公開用撮像画像データの受信許可設定をしている携帯端末ｃが入ると、携帯端末ｂから携帯端末ｃに公開用撮像画像データとそのＩＤが送信される。
【００６５】
その後、公開用撮像画像データとそのＩＤを受信した携帯端末ｃからは、公開用撮像画像データのＩＤと受信端末関連情報が画像転送ログ管理サーバ２００に送信される（図５（ｄ））。
【００６６】
このように、コンテンツ公開システム４００は、公開用撮像画像データを受信した携帯端末１００から他の携帯端末１００に当該公開用撮像画像データが転送される度に、当該他の携帯端末１００から画像転送ログ管理サーバ２００に対して公開用撮像画像データのＩＤ及び受信端末関連情報が送信される。そして、当該受信端末関連情報が画像転送ログ管理サーバ２００のデータベース２１に記録されていくものである。
【００６７】
更に、画像転送ログ管理サーバ２００の制御部２３は、携帯端末１００からの要求に応じて、要求された公開用撮像画像データに対応付けられてデータベース２１に記録されている情報を加工して携帯端末１００に返信する機能を有している。
【００６８】
具体的には、画像転送ログ管理サーバ２００の制御部２３は、携帯端末１００から、任意のＩＤの公開用撮像画像データに関する情報の送信要求があると、当該任意のＩＤを含む公開データ関連情報と、当該公開データ関連情報に対応する全ての受信端末関連情報の一覧とを併せた情報を、要求のあった携帯端末１００に返信する。
【００６９】
図６は、図１に示されるコンテンツ公開システム４００における携帯端末１００の表示部に表示される画面例を示す図である。
【００７０】
図６に示されるように、携帯端末１００の表示部１０には、公開データ関連情報に含まれるサムネイルデータ５０と公開データ関連情報の画像転送ログ管理サーバ２００への発信日時とが表示されると共に、この公開データ関連情報に対応する受信端末関連情報として、公開用撮像画像データを受信した日時の情報が時系列で表示される。
【００７１】
なお、図６に示される画面を表示するためのデータは、画像転送ログ管理サーバ２００の制御部２３が生成した上で携帯端末１００に返信してもよいし、携帯端末１００の制御部６が、画像転送ログ管理サーバ２００から受信した公開データ関連情報及び受信端末関連情報を用いて生成してもよい。
【００７２】
図６に示される画面を見ることで、公開用撮像画像データを生成した携帯端末１００のユーザは、自分の公開した撮像画像データがどれくらいの人にどれくらいの時間をかけて転送されたのかを知ることができる。
【００７３】
このように、公開用撮像画像データを携帯端末１００間で転送するだけでなく、転送イベントに伴う情報（受信端末関連情報）を画像転送ログ管理サーバ２００で集約することで、公開用撮像画像データの転送過程をユーザが確認できるようになる。この結果、不特定多数の携帯端末にコンテンツを簡単に公開することができ、かつ、コンテンツの公開者に対して有益な情報を与えることが可能な新しい画像コミュニケーションサービスを提供することができる。
【００７４】
なお、公開用撮像画像データを受信した携帯端末１００の制御部６が、自端末に関連する受信端末関連情報及び公開用撮像画像データのＩＤを画像転送ログ管理サーバ２００に送信するタイミングは、当該公開用撮像画像データを受信した時点に限らない。
【００７５】
例えば、公開用撮像画像データを受信した携帯端末１００の制御部６は、ユーザの操作により当該公開用撮像画像データの再生（表示部１０における表示）がなされた時点で、受信端末関連情報及び公開用撮像画像データのＩＤを画像転送ログ管理サーバ２００に送信させてもよい。この場合、受信端末関連情報には、公開用撮像画像データの受信日時の代わりに、公開用撮像画像データの再生日時の情報を含めておく。
【００７６】
又は、公開用撮像画像データを受信した携帯端末１００の制御部６は、当該公開用撮像画像データを別の携帯端末１００に転送した時点で、受信端末関連情報及び公開用撮像画像データのＩＤを画像転送ログ管理サーバ２００に送信させてもよい。この場合、受信端末関連情報には、公開用撮像画像データの受信日時の代わりに、公開用撮像画像データの転送日時の情報を含めておく。
【００７７】
このように、公開用撮像画像データを受信した携帯端末１００の制御部６は、公開用撮像画像データに対して予め設定された条件（当該公開用撮像画像データを受信した、当該公開用撮像画像データが再生された、当該公開用撮像画像データが転送された）を満たした時点で、受信端末関連情報及び公開用撮像画像データのＩＤを画像転送ログ管理サーバ２００に送信させればよい。
【００７８】
また、携帯端末１００において、操作部９から転送条件をユーザによって入力できるようにし、この転送条件にしたがって、制御部６が転送の制限を行ってもよい。
【００７９】
この転送条件とは、例えば、公開用撮像画像データの同時に送受信可能な数、所定期間内で受信できる公開用撮像画像データの最大数等である。これにより、送受信の際に一度に大量の情報のやりとりが行われることを制限し、各ユーザが自分の好ましい頻度で公開用撮像画像データの転送を行うことが可能になる。
【００８０】
また、転送条件として、公開用撮像画像データを受信する携帯端末１００のユーザの属性（性別、年齢、趣味、好みの画像のジャンル、好みの音楽のジャンル等）を含めてもよい。これにより、転送先の携帯端末１００のユーザの属性に応じて、公開用撮像画像データの転送相手を選択することが可能となる。
【００８１】
例えば、公開用撮像画像データが風景画像である場合、好みの画像のジャンルに「風景」が設定されている携帯端末１００のみに転送を許可するようにする。これにより、携帯端末１００のユーザは、自分の好みのジャンルの公開用撮像画像データを受信しやすくなり、サービスの質を高めることができる。
【００８２】
図７は、図１に示されるコンテンツ公開システム４００における携帯端末１００の変形例を示す図である。図７において、図２と同じ構成要素には同一符号を付してある。
【００８３】
図７に示される携帯端末１００は、位置検出部１２を追加した点を除いては図２と同じ構成である。
【００８４】
位置検出部１２は、携帯端末１００の位置（緯度、経度等）を検出するものであり、例えばＧＰＳ（Ｇｌｏｂａｌ  Ｐｏｓｉｔｉｏｎｉｎｇ  Ｓｙｓｔｅｍ）受信機により構成される。位置検出部１２によって検出された位置情報は制御部６によって適宜取得される。
【００８５】
図７に示される携帯端末１００を用いたコンテンツ公開システム４００では、携帯端末１００の制御部６が、画像転送ログ管理サーバ２００に送信する受信端末関連情報と公開データ関連情報とに、公開用撮像画像データに関連する携帯端末１００の位置情報を含める。
【００８６】
公開データ関連情報に含める、公開用撮像画像データに関連する携帯端末１００の位置情報は、当該公開データ関連情報が画像転送ログ管理サーバ２００に送信された時点又は公開用撮像画像データの生成がなされた時点における携帯端末１００の位置情報である。
【００８７】
受信端末関連情報に含める、公開用撮像画像データに関連する携帯端末１００の位置情報は、公開用撮像画像データに対して予め設定された条件が満たされた時点（公開用撮像画像データを受信した時点、公開用撮像画像データが再生された時点、又は公開用撮像画像データが転送された時点）における携帯端末１００の位置情報である。
【００８８】
図７に示される携帯端末１００を用いたコンテンツ公開システム４００における画像転送ログ管理サーバ２００の制御部２３は、携帯端末１００から要求があると、要求された公開用撮像画像データに対応付けられた公開データ関連情報及び受信端末関連情報に含まれる前記位置情報を時系列で並べて地図上にマッピングした情報を携帯端末１００に返信する。
【００８９】
例えば、画像転送ログ管理サーバ２００の制御部２３は、図８に示されるような画面を携帯端末１００に返信する。
【００９０】
図８に示されるように、携帯端末１００の表示部１０には、公開データ関連情報に含まれるサムネイルデータ５０と公開データ関連情報の画像転送ログ管理サーバ２００への発信日時とが表示されると共に、この公開データ関連情報に含まれる位置情報を示す印（四角にＳを付した印）と、この公開データ関連情報に対応する受信端末関連情報に含まれる位置情報を示す丸印とが地図上にプロットされて表示される。また、位置情報を示す印は、当該位置情報が画像転送ログ管理サーバ２００のデータベース２１に記録された順番が分かるように、データベース２１に登録された順に直線で結ばれる。
【００９１】
図８に示される画面を見ることで、公開用撮像画像データを生成した携帯端末１００のユーザは、自分の公開した撮像画像データがどのような経路を辿って転送されているのかを直感的に知ることができ、サービスの利便性を向上させることができる。
【００９２】
なお、図８に示される画面を表示するためのデータは、画像転送ログ管理サーバ２００の制御部２３が生成した上で携帯端末１００に返信してもよいし、携帯端末１００の制御部６が、画像転送ログ管理サーバ２００から受信した公開データ関連情報及び受信端末関連情報を用いて生成してもよい。携帯端末１００で図８の画面データを生成する場合、地図のデータは、携帯端末１００がネットワーク通信部７を介して別の場所から取得すればよい。
【００９３】
ここまで説明してきたコンテンツ公開システム４００において、携帯端末１００に、受信した公開用撮像画像データに対してコメントを入力できる機能を付与し、当該コメントのデータを画像転送ログ管理サーバ２００に送信できるようにしてもよい。
【００９４】
具体的には、携帯端末１００の制御部６は、他の携帯端末１００によって公開設定がなされた公開用撮像画像データに対し操作部９を介して入力されたコメントのデータを、当該公開用撮像画像データのＩＤと共に画像転送ログ管理サーバ２００に送信させる。
【００９５】
画像転送ログ管理サーバ２００の制御部２３は、携帯端末１００から受信したコメントのデータを、当該コメントと共に送信されてきた公開用撮像画像データのＩＤを含む公開データ関連情報と対応付けてデータベース２１に記録する。
【００９６】
画像転送ログ管理サーバ２００の制御部２３は、携帯端末１００からコメント閲覧の要求があると、要求された公開用撮像画像データのＩＤを含む公開データ関連情報に対応するコメントのデータの一覧を携帯端末１００に返信する。
【００９７】
例えば、携帯端末１００の制御部６は、公開用撮像画像データの再生時に、図９に示されるような画面を表示部１０に表示させる。
【００９８】
表示部１０には、公開用撮像画像データ６０と、コメント入力欄６１と、ソフトウェアキーボード６２と、コメント送信ボタン６３とが表示される。
【００９９】
ユーザが、ソフトウェアキーボード６２によってコメントを入力すると、制御部６は、そのコメントをコメント入力欄６１に反映させる。ユーザが、コメント送信ボタン６３を押すと、制御部６は、入力されたコメントのデータと公開用撮像画像データ６０のＩＤを、ネットワーク通信部７を介して画像転送ログ管理サーバ２００に送信させる。
【０１００】
画像転送ログ管理サーバ２００の制御部２３は、あるＩＤの公開用撮像画像データに対するコメント一覧の要求が携帯端末１００からなされると、図１０に示されるように、要求された公開用撮像画像データのＩＤを含む公開データ関連情報に対応するコメントのデータの一覧の情報６４を携帯端末１００に送信する。
【０１０１】
このように、公開用撮像画像データに対するコメントの一覧を携帯端末１００から閲覧可能にすることで、より楽しいサービスの提供が可能となる。
【０１０２】
なお、図１０に示される画面を表示するためのデータは、画像転送ログ管理サーバ２００の制御部２３が生成した上で携帯端末１００に返信してもよいし、携帯端末１００の制御部６が、画像転送ログ管理サーバ２００から受信した公開データ関連情報及び受信端末関連情報を用いて生成してもよい。
【０１０３】
また、画像転送ログ管理サーバ２００の制御部２３は、コメントのデータを送信してきた携帯端末１００に対してのみ、公開データ関連情報に対応する情報又はそれを加工した情報の返信を行うようにしてもよい。このようにすることで、携帯端末１００のユーザに対してコメントの入力を促すことができ、サービス全体の付加価値を向上させることができる。
【０１０４】
また、携帯端末１００の制御部６は、公開用撮像画像データを別の携帯端末１００に送信する際に、当該公開用撮像画像データに対してコメントの入力がなされ、そのコメントのデータが画像転送ログ管理サーバ２００に送信された場合にのみ、当該公開用撮像画像データのコピーを記憶部５に記憶するようにしてもよい。
【０１０５】
このようにすることで、コメントの入力を行っていないユーザの携帯端末１００には、公開用撮像画像データのコピーが保存されなくなるため、ユーザに対してコメントの入力を促すことができ、サービス全体の付加価値を向上させることができる。
【０１０６】
また、携帯端末１００の制御部６は、別の携帯端末１００に公開用撮像画像データ及びそのＩＤを送信する際に、自端末に関連する受信端末関連情報も併せて当該別の携帯端末１００に送信させるようにしてもよい。
【０１０７】
例えば、公開用撮像画像データの生成元の携帯端末１００から別の携帯端末１００に送信される公開用撮像画像データを、図１１（ａ）に示されるように、ヘッダにＩＤと公開データ関連情報を含むデータとする。
【０１０８】
そして、携帯端末１００の制御部６は、自端末から他端末に公開用撮像画像データを送信する際に、図１１（ｂ）のように、公開用撮像画像データのヘッダに、自端末に関連する受信端末関連情報を付加してから、公開用撮像画像データの送信を行う。
【０１０９】
このようにすることで、公開用撮像画像データが転送される度に、そのヘッダには、転送元の携帯端末１００の受信端末関連情報が追加されていくことになる（図１１（ｂ））。携帯端末１００の制御部６は、受信した公開用撮像画像データのヘッダに含まれる受信端末関連情報から、図６や図８に示されるような情報を生成して表示部１０に表示させる。
【０１１０】
これにより、携帯端末１００のユーザは、画像転送ログ管理サーバ２００にアクセスせずとも、公開用撮像画像データの転送状況についての情報を確認することができる。
【０１１１】
この構成によれば、画像転送ログ管理サーバ２００にアクセスする必要がないため、移動体通信網３００に接続できない環境であっても情報を確認することができ、利便性を向上させることができる。また、画像転送ログ管理サーバ２００にアクセスする場合と比べて、情報を高速に参照することが可能となる。
【０１１２】
コンテンツ公開システム４００における画像転送ログ管理サーバ２００の制御部２３は、公開データ関連情報に対応付けて記録される受信端末関連情報が特定の条件を満たした場合に、当該公開データ関連情報の送信元の携帯端末１００に対して当該特定の条件を満たしたことを通知するようにしてもよい。
【０１１３】
上記特定の条件を満たすケースとしては、例えば、公開データ関連情報に対応する受信端末関連情報の記録数が所定値（例えば１０００）に達した場合、受信端末関連情報に携帯端末１００の位置情報が含まれる場合には、受信端末関連情報に含まれる位置情報が国境を越えた場合、公開データ関連情報に含まれるＩＤで特定される公開用撮像画像データがシステム上から削除された場合等である。
【０１１４】
画像転送ログ管理サーバ２００の制御部２３は、上記特定の条件が満たされた場合に、例えば図１２に示されるようなメールデータを生成して、このメールデータをプッシュ形式で携帯端末１００に送信する。
【０１１５】
図１２には、表示部１０に、公開用撮像画像データ５０及びその発信日時と共に、公開用撮像画像データ５０が韓国に到着したことを示す情報が表示される。このような情報をプッシュ通知することで、公開用撮像画像データを生成したユーザに対し、そのユーザが公開したデータのメモリアルなタイミングを知らせることができ、サービスに付加価値を与えることができる。
【０１１６】
コンテンツ公開システム４００において、携帯端末１００の制御部６は、自端末のユーザ操作により、他端末によって公開設定がなされた公開用撮像画像データが公開するに不適当なものであると判断した場合に、不適当報告情報を画像転送ログ管理サーバ２００に送信させる。そして、画像転送ログ管理サーバ２００は、前記不適当報告情報の受信数が閾値を越える公開用撮像画像データがあった場合に、当該公開用撮像画像データを受信したことのある携帯端末１００に当該公開用撮像画像データの削除命令情報を送信する。この削除命令情報を受信した携帯端末１００の制御部６は、当該削除命令情報にしたがって、自端末内にある前記公開用撮像画像データを削除するようにすることが好ましい。
【０１１７】
例えば、携帯端末１００の制御部６は、他端末から受信した公開用撮像画像データの再生画面において、図１３に示されるようなメッセージ画面７０を重畳表示させる。
【０１１８】
メッセージ画面７０にはソフトウェアアイコン（“はい”、“いいえ”）が表示されている。”はい”アイコンが押されると、携帯端末１００の制御部６は、再生中の公開用撮像画像データのＩＤと、当該公開用撮像画像データに対して不適当報告がなされたことを示す不適当報告情報とを、ネットワーク通信部７により画像転送ログ管理サーバ２００に送信させる。
【０１１９】
画像転送ログ管理サーバ２００の制御部２３は、ある公開用撮像画像データのＩＤに対して送信されてきた不適当報告情報の数が閾値を越えると、当該ＩＤを含む公開データ関連情報に対応付けられた受信端末関連情報の送信元の携帯端末１００のアドレスを、受信端末関連情報を受信したときの通信ログ等により特定する。そして、これら送信元の携帯端末１００に削除命令情報を一斉送信する。
【０１２０】
削除命令情報を受信した携帯端末１００の制御部６は、自端末内に削除対象となる公開用撮像画像データが記憶されている場合にはこれを削除する。
【０１２１】
このような構成により、公開用撮像画像データが公序良俗に反する等の公開するに適当でないものであった場合に、そのような公開用撮像画像データをシステム上から強制的に削除することができるため、サービスの品質を向上させることができる。
【０１２２】
なお、コンテンツ公開システム４００において公開するコンテンツデータは、画像データや音声データに限らず、例えばテキストデータであってもよい。
【０１２３】
以上説明してきたように、本明細書には以下の事項が開示されている。
【０１２４】
開示されたコンテンツ公開システムは、サーバと、移動体通信網を介して前記サーバと通信するネットワーク通信部を有する複数の携帯端末とを有し、前記携帯端末を利用してコンテンツデータを不特定多数の人に公開するコンテンツ公開システムであって、前記携帯端末は、他の前記携帯端末（以下、他端末という）との間で前記移動体通信網を介さずに直接通信を行う端末間通信部と、自端末の使用者によって公開設定がなされたコンテンツデータに関連する情報であって前記コンテンツデータのＩＤを含むコンテンツ情報を前記サーバに送信させるコンテンツ情報送信制御部と、前記端末間通信部の通信エリアに他端末が入った場合に、前記公開設定がなされたコンテンツデータ及び当該コンテンツデータのＩＤを、前記端末間通信部を介して前記通信エリア内の前記他端末に転送させる第一のコンテンツ転送制御部と、他端末によって公開設定がなされたコンテンツデータ及び当該コンテンツデータのＩＤを他端末から前記端末間通信部を介して受信した後、当該受信した情報に対する予め設定された条件が満たされた場合に、自端末に関連する端末情報及び当該受信したコンテンツデータのＩＤを前記サーバに送信させる端末情報送信制御部と、他端末によって公開設定がなされたコンテンツデータを受信した状態で前記端末間通信部の通信エリアに他端末が入った場合に、当該コンテンツデータ及び当該コンテンツデータのＩＤを、前記端末間通信部を介して前記通信エリア内の前記他端末に転送させる第二のコンテンツ転送制御部と、を備え、前記サーバは、前記携帯端末から受信した前記コンテンツ情報をデータベースに登録するコンテンツ情報登録部と、前記携帯端末から受信した前記端末情報及びコンテンツデータのＩＤのうちの前記端末情報を、前記データベースに登録されている当該受信したコンテンツデータのＩＤと同じＩＤを含むコンテンツ情報に対応付けて前記データベースに記録する端末情報記録部と、前記携帯端末からの要求に応じて、要求されたコンテンツデータに対応付けられて前記データベースに記録されている情報又は当該情報を加工した情報を前記携帯端末に返信する情報返信部と、を備えるものである。
【０１２５】
開示されたコンテンツ公開システムは、前記コンテンツデータは、静止画データ、動画データ、音声付動画データのいずれかであるものである。
【０１２６】
開示されたコンテンツ公開システムは、前記携帯端末は、自端末の位置を検出する位置検出部から前記自端末の位置情報を取得する位置情報取得部を備え、前記携帯端末の前記コンテンツ情報送信制御部は、前記公開設定されたコンテンツデータに関連する前記携帯端末の位置情報を前記コンテンツ情報に含めて前記サーバに送信させるものであり、前記携帯端末の前記端末情報送信制御部は、前記受信したコンテンツデータに関連する前記携帯端末の位置情報を前記端末情報に含めて前記サーバに送信させるものであるものを含む。
【０１２７】
開示されたコンテンツ公開システムは、前記サーバの情報返信部は、前記位置情報の閲覧要求に対し、要求されたコンテンツデータに対応付けられた端末情報に含まれる前記位置情報を時系列で並べて地図上にマッピングした情報を前記携帯端末に返信するものである。
【０１２８】
開示されたコンテンツ公開システムは、前記サーバの情報返信部は、前記位置情報の閲覧要求に対し、要求されたコンテンツデータに対応付けられた端末情報に含まれる前記位置情報を前記携帯端末に返信し、前記携帯端末は、前記サーバから返信されてきた前記位置情報を時系列で並べてマッピングした地図を表示部に表示させる地図表示制御部を備えるものである。
【０１２９】
開示されたコンテンツ公開システムは、前記携帯端末は、他端末によって公開設定がなされたコンテンツデータに対して入力されたコメントのデータを前記サーバに送信させるコメント送信制御部を備え、前記サーバは、前記携帯端末から受信したコメントのデータを、当該コメントがなされた前記コンテンツデータのＩＤと対応付けて前記データベースに記録するコメント記録制御部を備え、前記サーバの情報返信部は、前記コメントのデータの閲覧要求に対し、要求されたコンテンツデータに対応付けられた前記コメントのデータの一覧を前記携帯端末に返信するものである。
【０１３０】
開示されたコンテンツ公開システムは、前記携帯端末は、前記コメントのデータが前記サーバに送信されたコンテンツデータに対しては、当該コンテンツデータのコピーを生成して記録媒体に記録するコピーデータ記録制御部を備え、前記コピーデータは、他端末に対して転送できないことを示す情報が付加されているものである。
【０１３１】
開示されたコンテンツ公開システムは、前記サーバの情報返信部は、前記コメントのデータを送信してきた携帯端末に対してのみ情報の返信を行うものである。
【０１３２】
開示されたコンテンツ公開システムは、前記携帯端末の前記第一のコンテンツ転送制御部は、前記コンテンツデータのヘッダに前記コンテンツ情報も追加して前記他端末に転送させ、前記携帯端末の前記第二のコンテンツ転送制御部は、前記コンテンツデータのヘッダに前記端末情報も追加して前記他端末に転送させるものである。
【０１３３】
開示されたコンテンツ公開システムは、前記サーバは、前記コンテンツ情報に対応付けて記録される前記端末情報が特定の条件を満たした場合に、当該コンテンツ情報の送信元の携帯端末に対して前記特定の条件を満たしたことを通知するものである。
【０１３４】
開示されたコンテンツ公開システムは、前記携帯端末は、自端末のユーザ操作により、他端末によって公開設定がなされたコンテンツデータが公開するに不適当なものであると判断した場合に、不適当報告情報を前記サーバに送信させる不適当報告情報送信制御部を備え、前記サーバは、前記不適当報告情報の受信数が閾値を越えるコンテンツデータがあった場合に、当該コンテンツデータを受信している携帯端末に当該コンテンツデータの削除命令情報を送信する削除命令情報送信部を備え、前記携帯端末は、前記削除命令情報にしたがって、自端末内にある前記コンテンツデータを削除するコンテンツデータ削除部を備えるものである。
【０１３５】
開示された携帯端末は、前記コンテンツ公開システムにおける前記携帯端末である。
【０１３６】
開示されたサーバは、前記コンテンツ公開システムにおける前記サーバである。
【０１３７】
開示された端末プログラムは、コンピュータを、前記コンテンツ公開システムにおける前記携帯端末の前記端末間通信部及び前記ネットワーク通信部以外の各部として機能させるためのプログラムである。
【０１３８】
開示されたサーバプログラムは、コンピュータを、前記コンテンツ公開システムにおける前記サーバの各部として機能させるためのプログラムである。
【産業上の利用可能性】
【０１３９】
本発明によれば、不特定多数の携帯端末にコンテンツを簡単に公開することができ、かつ、コンテンツの公開者に対して有益な情報を与えることが可能なサービスを提供するためのコンテンツ公開システムと、それに用いる携帯端末、サーバ、端末プログラム、サーバプログラムを提供することができる。【０１４０】
本発明を詳細にまた特定の実施態様を参照して説明したが、本発明の精神と範囲を逸脱することなく様々な変更や修正を加えることができることは当業者にとって明らかである。
本出願は、２０１１年３月３１日出願の日本出願（特願２０１１−８０８９９）に基づくものであり、その内容はここに参照として取り込まれる。
【符号の説明】
【０１４１】
１００，ａ，ｂ，ｃ  携帯端末
２００  画像転送ログ管理サーバ
３００  移動体通信網
４００  コンテンツ公開システム
６  制御部
８  近距離無線通信部
【図１】
2012132748.tif 000003
【図２】
2012132748.tif 000004
【図３】
2012132748.tif 000005
【図４】
2012132748.tif 000006
【図５】
2012132748.tif 000007
【図６】
2012132748.tif 000008
【図７】
2012132748.tif 000009
【図９】
2012132748.tif 000010
【図１０】
2012132748.tif 000011
【図１１】
2012132748.tif 000012
【図１２】
2012132748.tif 000013
【図１３】
2012132748.tif 000014
【図８】
2012132748.tif 000015
【国際調査報告】
2012132748.tif 000016
2012132748.tif 000017
2012132748.tif 000018
2012132748.tif 000019